(57)【特許請求の範囲】
【請求項１】
流体を貯蔵する流体貯蔵部と、
前記流体貯蔵部に貯蔵された流体から高湿空気を生成する高湿空気生成部と、
搬送風及び案内風となる空気をそれぞれ送り出す送風部と、
前記搬送風と前記高湿空気とが流入するダクトであって、前記搬送風と前記高湿空気とが混合した高湿風を流体搬送装置の外部に吹き出す高湿風ダクトと、
前記高湿風ダクトの下面部に開口し、前記高湿空気を前記高湿風ダクトに流入させる高湿空気流入口と、
少なくとも一部が前記高湿風ダクトの上側に配置され、前記案内風が流入するダクトであって、前記高湿風ダクトの上側から前記高湿風の流れに向けて斜め下向きに前記案内風を吹き出す案内風ダクトと、を備え、
前記高湿風ダクトは、前記高湿空気流入口の下流側に前記搬送風と前記高湿空気を混合する空間を有する流体搬送装置。
【請求項２】
前記高湿風の吹き出し方向は、水平方向または斜め下向きに設定し、前記案内風の吹き出し方向は、前記高湿風の吹き出し方向よりも大きな傾斜角で斜め下向きに傾斜させる構成としてなる請求項１に記載の流体搬送装置。
【請求項３】
前記搬送風を前記高湿風ダクトに流入させる搬送風流入口と、前記高湿風ダクトを流れる前記高湿風が外部に吹き出す高湿風吹出口のうち少なくとも一方の口は、前記高湿空気を前記高湿風ダクトに流入させる高湿空気流入口よりも高い位置で前記高湿風ダクトに開口する構成としてなる請求項１から２のうち何れか１項に記載の流体搬送装置。
【請求項４】
前記高湿風ダクトの下面部は、前記少なくとも一方の口から前記高湿空気流入口に向けて斜め下向きに傾斜させる構成としてなる請求項３に記載の流体搬送装置。
【請求項５】
前記高湿風ダクトを流れる前記高湿風が外部に吹き出す高湿風吹出口と、
前記高湿風吹出口の上側に開口し、前記案内風ダクトを流れる前記案内風が外部に吹き出す案内風吹出口と、を備え、
水平方向における前記案内風の吹き出し範囲は、前記高湿風の吹き出し範囲に対して上側から重なりあった状態で前記高湿風の吹き出し範囲よりも広くなるように設定してなる請求項１から４のうち何れか１項に記載の流体搬送装置。
【請求項６】
前記案内風ダクトは、前記案内風の流れを挟んで水平方向で互いに対向する２つの側壁部を備え、
前記各側壁部の対向間隔は、前記案内風の流通方向において上流側よりも下流側の位置で大きくする構成としてなる請求項１から５のうち何れか１項に記載の流体搬送装置。
【請求項７】
前記高湿空気生成部は、前記流体を加熱して蒸気を生成する加熱部を備えてなる請求項１から６のうち何れか１項に記載の流体搬送装置。
【請求項８】
前記高湿風ダクトの上面部と側面部との間に位置する角隅の少なくとも一部を凹湾曲状に形成してなる請求項１から７のうち何れか１項に記載の流体搬送装置。
【請求項９】
前記高湿風ダクトに前記搬送風を流入させる搬送風流入口は、水平方向の幅寸法が当該搬送風流入口の開口位置における前記高湿風ダクトの幅寸法の半分以上となるように形成してなる請求項１から８のうち何れか１項に記載の流体搬送装置。
【請求項１０】
前記高湿風ダクトは、前記高湿風の流れを挟んで水平方向で互いに対向する２つの側壁部を備え、
前記各側面部は、前記高湿空気を前記高湿風ダクトに流入させる高湿空気流入口の上側で互いに平行に配置された平行側面部を備えてなる請求項１から９のうち何れか１項に記載の流体搬送装置。
【請求項１１】
前記高湿風ダクトには、前記高湿空気を前記高湿風ダクトに流入させる高湿空気流入口の上側で気流を均一化する整流板を設けてなる請求項１から１０のうち何れか１項に記載の流体搬送装置。
【請求項１２】
前記高湿風ダクトは、前記高湿風の吹き出し方向に延びた軸線を有する円筒状または円錐状のダクトにより形成し、
前記高湿風ダクトに前記搬送風を流入させる搬送風流入口は、前記高湿風ダクトの軸方向一側に開口し、前記搬送風を前記高湿風ダクトの周面部の接線方向に流入させる構成とし、
前記高湿風ダクトから外部に前記高湿風を吹き出す高湿風吹出口は、前記高湿風ダクトの軸方向他側で前記軸線と垂直な面上に開口する構成としてなる請求項１から１１のうち何れか１項に記載の流体搬送装置。
【請求項１３】
前記高湿風ダクトは、前記高湿風の吹き出し方向と垂直な面に沿って延びた軸線を有する円筒状のダクトにより形成し、
前記高湿風ダクトに前記搬送風を流入させる搬送風流入口は、前記高湿風ダクトの軸方向一側に開口し、前記搬送風を前記高湿風ダクトの周面部の接線方向に流入させる構成とし、
前記高湿風ダクトから外部に前記高湿風を吹き出す高湿風吹出口は、前記高湿風ダクトの軸方向他側に開口し、前記高湿風を前記高湿風ダクトの周面部の接線方向に吹き出す構成としてなる請求項１から１１のうち何れか１項に記載の流体搬送装置。
【請求項１４】
一端側が前記高湿風ダクトよりも下側に配置された前記送風部に接続されると共に、他端側が前記高湿風ダクトに開口した搬送風流入口に接続され、前記送風部から前記高湿風ダクトに前記搬送風を流入させる搬送風流入通路を備え、
前記搬送風流入通路は、前記一端側よりも前記他端側の方が前記高湿風ダクトに近くなるように垂直方向に対して斜めに傾斜させる構成としてなる請求項１から１３のうち何れか１項に記載の流体搬送装置。
【請求項１５】
前記高湿風ダクトは、前記高湿風の流れ方向の上流側から下流側に向けて徐々に狭くする構成としてなる請求項１から１４のうち何れか１項に記載の流体搬送装置。
【発明の詳細な説明】
【技術分野】
【０００１】
本発明は、例えば加湿機等として用いられる流体搬送装置に関する。
【背景技術】
【０００２】
従来技術として、例えば特許文献１に記載されているように、ユーザがいる位置まで高湿空気を搬送する機能を備えた加湿機が知られている。従来技術の加湿機は、デスクでのパーソナル使用、美容、睡眠等のシーンで使用されている。
【先行技術文献】
【特許文献】
【０００３】
【特許文献１】特開平７−４７２５号公報
【発明の概要】
【発明が解決しようとする課題】
【０００４】
上述した特許文献１に記載の加湿機においては、高湿空気を風と混合してユーザがいる位置に向けて吹出すようにしている。しかしながら、この構成では、風が吹き出されてからユーザの位置に到達するまでの間に高湿空気が拡散してしまう。このため、従来技術では、高湿空気を搬送するときの指向性が弱く、また、搬送距離が短いという問題がある。
【０００５】
これに対し、加熱した蒸気をノズルにより絞って噴射することにより、噴射される蒸気に推力を付加し、蒸気の指向性を高める方法が考えられる。しかし、この方法では、高温の噴射蒸気がユーザに直接当たって不快感を与えることがある。また、蒸気は周囲よりも温度が高いので、吹き出した後に上昇してユーザから反れてしまうことがあり、ユーザの周囲を安定的に加湿するのが難しいという問題がある。
【０００６】
本発明は、上述のような課題を解決するためになされたもので、高湿空気を目標位置に直接吹き付けることなく、当該目標位置に対して高湿空気を効率よく搬送することが可能な流体搬送装置を提供することにある。
【課題を解決するための手段】
【０００７】
本発明に係る流体搬送装置は、流体を貯蔵する流体貯蔵部と、流体貯蔵部に貯蔵された
流体から高湿空気を生成する高湿空気生成部と、搬送風及び案内風となる空気をそれぞれ
送り出す送風部と、搬送風と高湿空気とが流入するダクトであって、搬送風と高湿空気と
が混合した高湿風を流体搬送装置の外部に吹き出す高湿風ダクトと、高湿風ダクトの下面部に開口し、高湿空気を高湿風ダクトに流入させる高湿空気流入口と、少なくとも一部が高湿風ダクトの上側に配置され、案内風が流入するダクトであって、高湿風ダクトの上側から高湿風の流れに向けて斜め下向きに案内風を吹き出す案内風ダクトと、を備え、高湿風ダクトは、前記高湿空気流入口の下流側に前記搬送風と前記高湿空気を混合する空間を有している。
【発明の効果】
【０００８】
本発明によれば、案内風を利用して高湿風の上昇を抑制し、高湿風に所望の指向性を与えることができる。従って、流体搬送装置からみて水平方向及び斜め下方に位置する加湿目標に向けて高湿風を効率よく搬送することができ、ユーザの近傍等で加湿性能を安定的に発揮することができる。また、高湿風を目標位置よりも下方に向けて搬送することで、高湿風を目標位置に搬送することができる。これにより、高湿空気を目標位置に直接吹き付けなくても、目標位置の周囲を加湿することができる。
【図面の簡単な説明】
【０００９】
【図１】本発明の実施の形態１による流体搬送装置としての加湿機を示す斜視図である。
【図２】図１に示す加湿機の縦断面図である。
【図３】加湿機を図２中の矢示Ａ−Ａ方向からみた縦断面図である。
【図４】加湿機を図２中の矢示Ｂ−Ｂ方向からみた横断面図である。
【図５】加湿機を図２中の矢示Ｃ−Ｃ方向からみた横断面図である。
【図６】本発明の実施の形態１において、加湿機の動作を示すフローチャートである。
【図７】本発明の実施の形態１による加湿機の効果を示す説明図である。
【図８】本発明の実施の形態１において、高湿風ダクトの側面部に整流板を設けた変形例を示す要部拡大斜視図である。
【図９】本発明の実施の形態２による加湿機を図３と同様位置からみた縦断面図である。
【図１０】本発明の実施の形態３による加湿機を示す斜視図である。
【図１１】図１０に示す加湿機の縦断面図である。
【図１２】加湿機を図１１中の矢示Ａ−Ａ方向からみた縦断面図である。
【図１３】本発明の実施の形態４による加湿機を示す斜視図である。
【図１４】図１３に示す加湿機の縦断面図である。
【図１５】加湿機を図１４中の矢示Ａ−Ａ方向からみた縦断面図である。
【発明を実施するための形態】
【００１０】
以下、図面を参照して本発明の実施の形態について説明する。なお、各実施の形態では、流体搬送装置として加湿機を例示する。また、各図において共通する要素には、同一の符号を付して、重複する説明を省略する。また、本発明は、以下に示す各実施の形態に記載された構成のうち、組合わせ可能な構成のあらゆる組合わせを含むものとする。
【００１１】
実施の形態１．
まず、図１から図８を参照して、本発明の実施の形態１について説明する。図１は、本発明の実施の形態１による加湿機を示す斜視図である。また、図２は、図１に示す加湿機の縦断面図であり、図３は、加湿機を図２中の矢示Ａ−Ａ方向からみた縦断面図である。更に、図４は、加湿機を図２中の矢示Ｂ−Ｂ方向からみた横断面図を示し、図５は、加湿機を図２中の矢示Ｃ−Ｃ方向からみた横断面図を示している。
【００１２】
本実施の形態の加湿機は、図１及び図２に示すように、ケーシング１、給水タンク３、加熱用貯水部６、ヒータ７、送風ファン１０、高湿風ダクト２０、案内風ダクト３０、制御部４０等を備えている。なお、本明細書では、特に断りがない限り、図２中の右側を加湿機の前側と表記し、図２中の左側を加湿機の後側と表記する。また、以下の説明では、ヒータ７により生成される蒸気を含んだ空気を高湿空気Ｐと表記し、送風ファン１０から高湿風ダクト２０に送風される空気を搬送風Ｑと表記し、高湿空気Ｐと搬送風Ｑとが混合した気流を高湿風Ｒと表記し、送風ファン１０から案内風ダクト３０に送風される空気を案内風Ｓと表記する。
【００１３】
ケーシング１は、加湿機の外郭を構成するもので、例えば四角形状の筐体として形成されている。ケーシング１の上面部には、蓋２が着脱可能に取付けられている。ケーシング１の後面部には、外部からケーシング１内に空気を取込む吸気口が形成されている。給水タンク３は、図２に示すように、流体としての水を貯蔵するための流体貯蔵部を構成するもので、例えばケーシング１内で最後部の上部側に収容されている。また、給水タンク３は、当該給水タンク３をケーシング１から取出して水の補充が可能となるように、給水部４の上部側に着脱可能に連結されている。
【００１４】
給水タンク３の下面部には、給水部４に連結されたときに開弁し、給水部４から取外されたときに閉弁する常閉の給水弁が設けられている。給水部４の下部側は、上向きの略Ｕ字状に屈曲した給水通路５を介して加熱用貯水部６の下面部と接続されている。給水タンク３内の水は、図２中に実線で示すように、給水部４及び給水通路５を介して加熱用貯水部６に供給される。このとき、給水部４（または、給水弁）は、加熱用貯水部６に供給される水の量を調整することができる。また、給水部４には、給水タンク３内の水位を検出するための水位検出部が設けられている。
【００１５】
加熱用貯水部６及びヒータ７は、給水タンク３に貯蔵された水から高湿空気Ｐを生成するもので、例えばケーシング１内で前部側に配置され、本実施の形態の高湿空気生成部を構成している。加熱用貯水部６は、給水タンク３から供給された加熱用の水を貯めておく部位であり、例えば垂直方向に延びた円筒状に形成されている。加熱用貯水部６の下面部には、給水通路５が接続されている。加熱用貯水部６の上面部には、垂直方向に延びた高湿空気通路８が接続されている。ヒータ７は、加熱用貯水部６内の水を加熱して蒸気（高湿空気Ｐ）を生成するもので、本実施の形態の加熱部を構成している。ヒータ７は、例えば略環状に形成され、加熱用貯水部６の外周側を取囲んでいる。
【００１６】
送風ファン１０は、ケーシング１の前記吸気口から空気を吸込んで当該空気を送風口から吹き出すもので、例えば電動式のファンにより構成されている。送風ファン１０は、ケーシング１内において、例えば送風口を上側に向けた状態で、給水タンク３と加熱用貯水部６との間に配置され、給水通路５により下側から取囲まれている。送風ファン１０の送風口には、垂直方向に延びた接続ダクト１１が接続されている。接続ダクト１１は、垂直方向に対して互いに並列に延びた搬送風流入通路１２と案内風流入通路１３とを一体化したものである。
【００１７】
搬送風流入通路１２は、送風ファン１０の送風口と、後述する高湿風ダクト２０の搬送風流入口２２とを接続している。また、案内風流入通路１３は、送風ファン１０の送風口と、後述する案内風ダクト３０の最上流部とを接続している。送風ファン１０から送り出された空気の一部は、図２に示すように、搬送風流入通路１２に流入して搬送風Ｑとなり、残りの空気は、案内風流入通路１３に流入して案内風Ｓとなる。このように、送風ファン１０は、搬送風Ｑ及び案内風Ｓとなる空気をそれぞれ送り出す送風部を構成している。なお、本実施の形態では、単一の送風ファン１０により搬送風Ｑ及び案内風Ｓの両方を生成する場合を例示した。しかし、本発明はこれに限らず、搬送風Ｑを生成する送風部と、案内風Ｓを生成する送風部とからなる２つの送風部を備えてもよい。
【００１８】
（高湿風ダクト）
次に、図１から図５を参照して、本発明の特徴事項の一つである高湿風ダクト２０と案内風ダクト３０について説明する。まず、高湿風ダクト２０は、図２に示すように、高湿空気通路８から流入する高湿空気Ｐと、搬送風流入通路１２から流入する搬送風Ｑとを混合して高湿風Ｒを生成し、この高湿風Ｒをケーシング１の前方に吹き出すものである。高湿風ダクト２０は、図２、図３及び図５に示すように、上面部２０Ａ、下面部２０Ｂ、左右の側面部２０Ｃ，２０Ｃ及び奥壁部２０Ｄを有し、全体として細長い略四角形状に形成されている。高湿風ダクト２０の長さ方向は、高湿風Ｒの流通方向及び吹き出し方向と一致している。
【００１９】
高湿風ダクト２０の上部側は、上面部２０Ａ、下面部２０Ｂ及び左右の側面部２０Ｃ，２０Ｃにより四角形状に形成されている。左右の側面部２０Ｃ，２０Ｃは、図５に示すように、高湿風Ｒの流れを挟んで互いに平行な状態で対向している。また、高湿風ダクト２０の下面部２０Ｂは、図２及び図３に示すように、例えば高湿風ダクト２０の四方の壁面から中央に向けて斜め下向きに傾斜した４つの傾斜面により構成されている。そして、下面部２０Ｂのうちで最も低い部分には、高湿空気Ｐを高湿風ダクト２０に流入させる高湿空気流入口２１が開口している。
【００２０】
高湿空気流入口２１は、図５に示すように、例えば高湿風ダクト２０の幅方向に細長く延びた四角形状に形成され、高湿空気流入口２１の幅寸法は、高湿風ダクト２０の幅寸法よりも小さく設定されている。なお、本明細書では、水平方向のうち高湿風Ｒ及び案内風Ｓの流通方向と直行する方向を「幅方向」と表記し、幅方向の寸法を「幅寸法」と表記する。高湿空気流入口２１は、加熱用貯水部６の上方に配置されている。これにより、高湿空気通路８は、高湿空気Ｐが円滑に上昇できるように垂直方向に伸長した状態で、加熱用貯水部６の上面部と高湿空気流入口２１とを接続している。また、高湿空気流入口２１は、例えば前後方向に延びた高湿風ダクト２０の全長の半分よりも上流寄りの位置に開口している。このため、高湿空気流入口２１の下流側には、高湿空気Ｐと搬送風Ｑとを混合して均等な高湿風Ｒを生成するための十分なスペースが確保されている。
【００２１】
高湿風ダクト２０の最上流部には、図２及び図５に示すように、下面部２０Ｂまたは奥壁部２０Ｄに開口した搬送風流入口２２が形成されている。搬送風流入口２２は、搬送風流入通路１２と接続され、搬送風流入通路１２から高湿風ダクト２０に搬送風Ｑを流入させるものである。搬送風流入口２２は、高湿空気流入口２１よりも上流側に配置されている。また、搬送風流入口２２の幅寸法は、高湿空気流入口２１の幅寸法よりも大きく設定されている。さらに、搬送風流入口２２の幅寸法は、搬送風流入口２２の開口位置における高湿風ダクト２０の幅寸法、即ち、奥壁部２０Ｄの幅寸法の半分以上の大きさに設定されている。なお、図５では、搬送風流入口２２と奥壁部２０Ｄの幅寸法を等しく設定した場合を例示している。
【００２２】
また、搬送風流入口２２は、高湿風ダクト２０の下面部２０Ｂのうち最も低い部位に形成された高湿空気流入口２１よりも高い位置に開口している。そして、下面部２０Ｂのうち、搬送風流入口２２と高湿空気流入口２１との間に位置する部位は、図２に示すように、搬送風流入口２２から高湿空気流入口２１に向けて斜め下向きに傾斜した傾斜面部２０Ｅにより構成されている。一方、左右の側面部２０Ｃの少なくとも一部は、図５に示すように、高湿空気流入口２１の上側で互いに平行に配置された平行側面部２０Ｇにより構成されている。なお、上記構成においては、必ずしも下面部２０Ｂの全体を傾斜させる必要はない。また、各側面部２０Ｃは、高湿空気流入口２１の上側に位置する部位のみを平行に形成し、他の部位は平行に形成しなくてもよい。
【００２３】
高湿風ダクト２０の最下流部には、図１、図２、図５に示すように、ケーシング１の前面部に開口した四角形状の高湿風吹出口２３が設けられている。高湿風吹出口２３は、高湿風Ｒをケーシング１の外部に吹き出すもので、格子状のメッシュカバー２４により覆われている。また、高湿風ダクト２０の下面部２０Ｂのうち、高湿風吹出口２３と高湿空気流入口２１との間に位置する部位は、高湿風吹出口２３から高湿空気流入口２１に向けて斜め下向きに傾斜した傾斜面部２０Ｆにより構成されている。
【００２４】
高湿風吹出口２３の近傍には、高湿風吹出口２３に人が接近したことを検出するための近接センサが設けられている。近接センサは、メッシュカバー２４に設定された感応センサ、後述する風向ガイド３２の下面に設置された赤外線センサ等により構成されている。また、高湿風ダクト２０の内部には、高湿風Ｒの温度を検出する温度検出部が設けられている。なお、メッシュカバー２４は、格子状のメッシュ材料により構成したが、本発明では、他の構成としてもよい。
【００２５】
このように構成された高湿風ダクト２０は、ほぼ水平に配置された状態で加湿機の前後方向に伸長し、高湿風吹出口２３は、高湿風ダクト２０の伸長方向と垂直な平面（即ち、ケーシング１の前面部）上に開口している。この結果、高湿風Ｒは、高湿風吹出口２３から加湿機の前方に向けて水平に吹き出すように構成されている。そして、吹き出した高湿風Ｒは、図５中に一点鎖線で示すように、水平方向において高湿風ダクト２０の幅寸法とほぼ等しい吹き出し範囲を保持する。
【００２６】
（案内風ダクト）
次に、案内風ダクト３０について説明する。案内風ダクト３０は、案内風流入通路１３から流入する案内風Ｓをケーシング１の前方に吹き出すものである。案内風ダクト３０は、図２から図４に示すように、上面部３０Ａ、下面部３０Ｂ及び左右の側面部３０Ｃ，３０Ｃを有し、全体として細長い略四角形状に形成されている。案内風ダクト３０は、ケーシング１内において、高湿風ダクト２０の上側に重なり合う位置でほぼ水平に配置され、加湿機の前後方向に伸長している。案内風ダクト３０の長さ方向は、図２及び図３に示すように、高湿風Ｒの流通方向と一致している。なお、本実施の形態では、高湿風ダクト２０の上面部２０Ａと、案内風ダクト３０の下面部３０Ｂとを共通化したが、本発明では、上面部２０Ａと下面部３０Ｂとを別個の板材により構成してもよい。
【００２７】
案内風ダクト３０の最上流部には、案内風流入通路１３が開口している。案内風ダクト３０の最下流部には、図２及び図４に示すように、案内風Ｓをケーシング１の外部に吹き出す案内風吹出口３１が設けられている。案内風吹出口３１は、高湿風吹出口２３の下側でケーシング１の前面部に開口している。また、案内風ダクト３０は、図１及び図２に示すように、案内風Ｓの吹き出し方向を斜め下向きに設定する風向ガイド３２を備えている。風向ガイド３２は、例えば案内風吹出口３１と同様の幅寸法を有する板材等により形成され、案内風吹出口３１の上側の開口端部から前方に向けて斜め下向きに突出している。
【００２８】
なお、風向ガイド３２は、案内風吹出口３１からみて、ユーザ等が存在する位置よりも下向きに傾斜させるのが好ましい。これにより、後述のように、ユーザ等に対して風を直接吹き付けることなく、高湿風Ｒを搬送することができる。また、風向ガイド３２を取付ける部位は、図２に示すように、案内風ダクト３０の上面部３０Ａでもよいし、ケーシング１の前面部でもよい。また、本発明は、必ずしも風向ガイド３２を必要とするものではない。即ち、本発明では、例えば案内風ダクト３０の全長のうち少なくとも下流部を斜め下向きに傾斜させるか、または、上面部３０Ａのみを斜め下向きに傾斜させることにより、案内風Ｓを斜め下向きに吹き出す構成としてもよい。
【００２９】
また、案内風ダクト３０の側面部３０Ｃ，３０Ｃのうち上流部に位置する部分は、図４に示すように、案内風Ｓの流れを挟んで互いに平行な状態で対向した狭幅側面部３０Ｄ，３０Ｄにより構成されている。各狭幅側面部３０Ｄの対向間隔は、高湿風ダクト２０の幅寸法よりも小さく設定されている。また、側面部３０Ｃ，３０Ｃのうち各狭幅側面部３０Ｄの下流側に位置する部分は、下流側に向けて略Ｖ字状に拡開した拡開部３０Ｅ，３０Ｅにより構成されている。各拡開部３０Ｅの対向間隔は、上流側から下流側に向けて徐々に大きくなるように設定され、案内風吹出口３１の開口位置で最大となっている。即ち、案内風ダクト３０は、上流側よりも下流側が広く形成されている。
【００３０】
以上のことから、案内風ダクト３０は、風向ガイド３２により案内風Ｓの風向を変更し、高湿風ダクト２０の上側から高湿風Ｒの流れに向けて案内風Ｓを斜め下向きに吹き出すように構成されている。また、案内風Ｓは、図４及び図５に二点鎖線で示すように、各拡開部３０Ｅの作用により、水平方向において略扇形状に広がるように吹き出される。そして、案内風Ｓの吹き出し範囲は、高湿風Ｒの吹き出し範囲に対して上側から重なり合うと共に、高湿風Ｒの吹き出し範囲よりも広くなるように設定されている。なお、本発明では、必ずしも案内風ダクト３０の全体を高湿風ダクト２０の上側に配置する必要はなく、案内風ダクト３０のうち少なくとも案内風吹出口３１の近傍部位を高湿風ダクト２０の上側に配置すればよいものである。
【００３１】
次に、加湿機の制御系統について説明する。本実施の形態のシステムは、加湿機を制御する制御部４０と、ユーザが加湿機を操作するための操作部４１とを備えている。制御部４０は、例えばケーシング１の前面側の内部に配置されており、ＲＯＭ、ＲＡＭ、不揮発性メモリ等を有する記憶回路と、記憶回路に記憶された各種の制御プログラムを実行する演算処理部（ＣＰＵ）と、演算処理部に対して信号を入出力する入出力回路と、時間を計測するタイマー回路とを備えている。
【００３２】
制御部４０の入力側には、加湿機の制御に必要な情報を取得するセンサ系統（図示せず）が接続されている。センサ系統には、給水タンク３内の水位を検出する水位検出部、高湿風Ｒの温度を検出する温度検出部、加湿機周辺の湿度を検出する湿度検出部、加湿機の周囲に存在する人を検出する人体検出部、高湿風吹出口２３に人が接近したことを検出する近接センサ等が含まれている。また、制御部４０の出力側には、ヒータ７及び送風ファン１０が接続されている。操作部４１は、加湿機の電源スイッチと、各種の操作及び設定を行うスイッチ類とを備えており、制御部４０と通信可能に接続されている。
【００３３】
（加湿機の作動）
本実施の形態による加湿機は上述の如き構成を有するもので、次に、図２及び図６を参照して、加湿機の作動について説明する。図６は、本発明の実施の形態１において、加湿機の動作を示すフローチャートである。この図に示すルーチンでは、まず、ステップＳ１において、操作部４１の電源スイッチがＯＮされると、加湿機の電源がＯＮとなり、加湿運転が開始される。
【００３４】
次に、ステップＳ２では、制御部４０によりヒータ７が起動（ＯＮ）される。この結果、加熱用貯水部６内の水は、ヒータ７により加熱され、蒸気を含む高湿空気Ｐを発生させる。発生した高湿空気Ｐは、温度が高くて軽いので、図２に示すように、高湿空気通路８内を垂直に上昇し、高湿空気流入口２１から高湿風ダクト２０に流入する。このように、高湿空気流入口２１を加熱用貯水部６の真上に配置し、高湿空気通路８を垂直に立てることにより、加熱用貯水部６で発生した高湿空気Ｐを高湿風ダクト２０内に円滑に導入することができる。
【００３５】
次に、ヒータ７が起動されてから十分な時間が経過し、高湿空気Ｐが安定的に生成される状態になると、ステップＳ３では、制御部４０により送風ファン１０が起動（ＯＮ）される。これにより、送風ファン１０は、搬送風流入通路１２に搬送風Ｑを送り込むと共に、案内風流入通路１３に案内風Ｓを送り込む。搬送風Ｑは、搬送風流入口２２から高湿風ダクト２０に流入し、高湿風ダクト２０内を前方に向けて流通しつつ、高湿空気Ｐと衝突して混ざり合う。これにより、高湿空気Ｐ及び搬送風Ｑは、前方に向けた指向性を有する高湿風Ｒとなる。そして、高湿風Ｒは、高湿風吹出口２３から前方へと水平に吹き出し、ユーザ等の加湿目標に向けて搬送される。
【００３６】
一方、案内風Ｓは、案内風流入通路１３から案内風ダクト３０に流入し、案内風吹出口３１に向けて流通する。そして、案内風吹出口３１では、風向ガイド３２により案内風Ｓの風向が斜め下向きに変更される。また、案内風Ｓは、各狭幅側面部３０Ｄの間を高い流速で通した後に、各拡開部３０Ｅの間で左右に広がりながら案内風吹出口３１に到達する。この結果、案内風Ｓは、案内風吹出口３１から斜め下向きに強く吹き出しながら、高湿風Ｒに上側から覆い被さるように略扇形状の吹き出し範囲に広がり、高湿風Ｒを上側から抑え込む。この結果、後述のように高湿風Ｒの上昇を抑制することができる。
【００３７】
次に、ステップＳ４では、まず、センサ系統により人体の検出、人体との距離の検出、室内の湿度の検出を実行する。そして、例えばセンサ系統による検出結果と、ユーザによる運転条件の設定とに基いて、加湿機の運転状態を調整する。具体例を挙げると、制御部４０には、例えば加湿機の位置での湿度と、ユーザまでの距離との関係と、ユーザの位置での湿度との関係を示す特性データが予め記憶されている。制御部４０は、センサ系統により実際に検出した湿度及び距離に基いて、前記特性データからユーザの位置での湿度を推定する。そして、推定した湿度に基いて、例えばヒータ７、送風ファン１０等を間欠運転することにより、加湿機の運転状態を調整する。一例を挙げると、制御部４０は、推定した湿度が適切な湿度範囲を下回る場合に、ヒータ７をＯＮ状態とし、推定した湿度が前記湿度範囲を上回る場合に、ヒータ７をＯＦＦ状態とする構成としてもよい。
【００３８】
次に、ステップＳ５では、予め設定された各種の条件に基いて加湿機の電源をＯＦＦするか否かを判定する。具体例を挙げると、下記の条件（１）〜（５）の少なくとも１つが成立した場合には、ステップＳ６に移行し、加湿機の電源をＯＦＦする。一方、条件（１）〜（５）の全てが不成立である場合には、ステップＳ４，Ｓ５の処理を繰返す。
【００３９】
条件（１）ユーザにより電源スイッチがＯＦＦされたか？
条件（２）タイマーに設定された時間が経過したか？
条件（３）給水タンク３の貯水量が零となったか？
条件（４）高湿風ダクト２０内の温度が許容範囲を超えて上昇したか？
条件（５）高湿風吹出口２３等に人体が接触したか？
【００４０】
以上詳述した通り、本実施の形態によれば、案内風ダクト３０は、高湿風ダクト２０の上側から高湿風Ｒの流れに向けて斜め下向きに案内風Ｓを吹き出す構成としたので、次のような効果を得ることができる。図７は、本発明の実施の形態１による加湿機の効果を示す説明図である。まず、従来のように、加湿機から高湿風のみを吹き出す場合には、周囲よりも温度が高い高湿風が前方に吹き出されてから上昇する傾向がある。従って、この場合には、高湿風の経路が目標位置から上方に反れてしまい、ユーザの周囲を加湿するのが難しくなる。これに対し、本実施の形態では、高湿風Ｒの上側から案内風Ｓを斜め下向きに吹き出すので、案内風Ｓにより高湿風Ｒの上昇を上側から抑え込むことができる。
【００４１】
これにより、案内風Ｓを利用して高湿風Ｒの上昇を抑制し、高湿風Ｒに所望の指向性を与えることができる。従って、加湿機からみて水平方向及び斜め下方に位置する加湿目標に向けて高湿風Ｒを効率よく搬送することができ、ユーザの近傍等で加湿性能を安定的に発揮することができる。特に、高湿風Ｒは、ユーザの位置よりも下方に向けて搬送するのが好ましい。何故なら、このように搬送された高湿風Ｒは、ユーザの下方に到達した後に、ユーザに向けて徐々に上昇する。この結果、緩やかな流れの高湿風Ｒを用いてユーザの周囲を加湿することができ、高湿風Ｒがユーザに直接当たることで生じる吹かれ感、寒さによる不快感等を回避することができる。
【００４２】
また、高湿風Ｒの上昇を抑え込むことにより、高湿風吹出口２３を従来よりも高い位置に設けることができる。そして、高湿風吹出口２３を高い位置に設けた状態でも、例えば床面に近い目標位置に向けて高湿風Ｒを安定的に搬送することができ、ユーザの利便性を向上させることができる。
【００４３】
なお、本実施の形態では、高湿風Ｒを水平方向に吹き出すと共に、案内風Ｓを斜め下向きに吹き出す構成とした。しかし、本発明はこれに限らず、高湿風Ｒの吹き出し方向を斜め下向きに傾斜させて設定し、案内風Ｓの吹き出し方向は、高湿風Ｒの吹き出し方向よりも大きな傾斜角で斜め下向きに傾斜させる構成としてしてもよい。この構成によれば、前述した高湿風Ｒの抑え込み効果を十分に発揮しつつ、高湿風Ｒをより床面に近い位置に向けて搬送することができる。
【００４４】
また、案内風Ｓの吹き出し範囲は、図５に示すように、高湿風Ｒの吹き出し範囲と重なり合う状態で当該高湿風Ｒの吹き出し範囲よりも広くなるように設定している。この設定によれば、吹き出した高湿風Ｒが拡散して広がっても、当該高湿風Ｒを案内風Ｓにより上側から安定的に抑え込むことができる。特に、案内風ダクト３０の各拡開部３０Ｅにより案内風Ｓの吹き出し範囲を広げる構成としたので、案内風ダクト３０の幅寸法が小さくても、吹き出し範囲を大きく広げることができる。なお、本発明では、例えば案内風ダクト３０の各側面部３０Ｃの対向間隔を、上流側から下流側に向けて１段または複数段の階段状に広くしてもよい。また、案内風ダクト３０を全長にわたって一定の幅寸法に形成し、この幅寸法を高湿風ダクト２０よりも大きく設定する構成としてもよい。これらの構成によっても、拡開部３０Ｅと同様の効果を得ることができる。
【００４５】
また、高湿空気流入口２１は、高湿風ダクト２０の下面部２０Ｂ、好ましくは、当該下面部２１Ｂのうち最も低い位置に開口させる構成としている。これにより、高温の高湿空気Ｐが上昇する特性を利用して高湿空気Ｐを高湿風ダクト２０に円滑に導入し、高湿空気Ｐと搬送風Ｑとを効率よく混合することができる。また、高湿風ダクト２０内で高湿空気Ｐと搬送風Ｑとが接触して結露水が生じた場合でも、この結露水を高湿空気流入口２１から加熱用貯水部６に流下させて自然に回収し、結露水を容易に再利用することができる。
【００４６】
また、搬送風流入口２２と高湿風吹出口２３とは、それぞれ高湿空気流入口２１よりも高い位置に開口させている。また、高湿風ダクト２０の下面部２０Ｂには、搬送風流入口２２から高湿空気流入口２１に向けて斜め下向きに傾斜した傾斜面部２０Ｅと、高湿風吹出口２３から高湿空気流入口２１に向けて斜め下向きに傾斜した傾斜面部２０Ｆとを形成している。これにより、高湿風ダクト２０内で結露水が生じた場合でも、この結露水が搬送風流入口２２から送風ファン１０側に浸入するのを抑制し、送風ファン１０を結露水から保護することができる。また、高湿風吹出口２３から結露水が垂れたり、吹き出すのを抑制することができる。そして、高湿風ダクト２０内の結露水を高湿空気流入口２１に効率よく集めることができる。
【００４７】
また、高湿風ダクト２０の各側面部２０Ｃには、高湿空気流入口２１の上側で互いに平行に配置された平行側面部２０Ｇを形成している。これにより、高湿空気流入口２１から上昇してくる高湿空気Ｐに衝突する搬送風Ｑの流れを当該流れと垂直な平面上で均一化し、高湿空気Ｐと搬送風Ｑとを偏りがないように混ぜ合わせて均質な高湿風Ｒを生成することができる。
【００４８】
なお、本発明では、図８に示すように、各側面部２０Ｃ（平行側面部２０Ｇ）に１個または複数個の整流板を設ける構成としてもよい。図８は、本発明の実施の形態１において、高湿風ダクトの側面部に整流板を設けた変形例を示す要部拡大斜視図である。この図に示すように、複数個の整流板２５は、側面部２０Ｃから高湿風ダクト２０の幅方向の中央に向けて垂直に突出しつつ、搬送風Ｑ及び高湿風Ｒの流れ方向に沿って細長く延びている。このような整流板２５によっても、高湿空気流入口２１の上側で搬送風Ｑの流れを均一化し、高湿風Ｒの均質化を促進することができる。
【００４９】
また、搬送風流入口２２の幅寸法は、当該搬送風流入口２２の開口位置における高湿風ダクト２０の幅寸法の半分以上、好ましくは、高湿風ダクト２０の幅寸法と等しく設定するのがよい。これにより、搬送風Ｑを高湿風ダクト２０内の幅広い範囲に流入させ、搬送風Ｑと高湿空気Ｐとの接触面積を大きくすることができる。従って、高湿空気Ｐと搬送風Ｑとを均一に混合し、高湿風Ｒの蒸気濃度を均等化することができる。
【００５０】
さらに、本実施の形態では、ヒータ７により高湿空気Ｐを生成するので、、自然な暖かさをもつ高湿風Ｒを生成することができる。これにより、ユーザに対して冷感等の不快感を与えることがないので、快適性を向上させることができる。また、暖かい高湿空気Ｐの上昇力を利用して、高湿空気Ｐと搬送風Ｑとを容易に混合することができる。
【００５１】
実施の形態２．
次に、図９を参照して、本発明の実施の形態２について説明する。本実施の形態の特徴は、前記実施の形態１とほぼ同様の構成において、高湿風ダクトの上部側の角隅の少なくとも一部を凹湾曲状に形成したことにある。図９は、本発明の実施の形態２による加湿機を図３と同様位置からみた縦断面図である。なお、本実施の形態では、実施の形態１と同一の構成要素に同一の符号を付し、その説明を省略するものとする。
【００５２】
本実施の形態の加湿機は、実施の形態１とほぼ同様に、ケーシング１、給水タンク３、加熱用貯水部６、ヒータ７、送風ファン１０、高湿風ダクト５０、案内風ダクト３０等を備えている。高湿風ダクト５０は、上面部５０Ａ、下面部５０Ｂ及び左右の側面部５０Ｃ，５０Ｃを備えている。また、高湿風ダクト５０には、高湿空気流入口２１、搬送風流入口２２及び高湿風吹出口２３が開口し、これらの開口部は実施の形態１で述べたような位置関係を有している。
【００５３】
一方、高湿風ダクト５０の上面部５０Ａと各側面部５０Ｃとの間に位置する角隅のうち、少なくとも一部には、上面部５０Ａと側面部５０Ｃとを凹湾曲状に接続する面取部５１が形成されている。このように構成される本実施の形態によれば、高湿風ダクト５０の上面部５０Ａに付着した結露水を面取部５１から側面部５０Ｃへと円滑に流下させることができる。従って、前記実施の形態１と同様の効果に加えて、上面部５０Ａに結露水が溜まるのを抑制し、結露水を高湿空気流入口２１に効率よく集めることができる。
【００５４】
実施の形態３．
次に、図１０から図１２を参照して、本発明の実施の形態３について説明する。本実施の形態の特徴は、前記実施の形態１とほぼ同様の構成において、高湿風ダクトを略円筒状または略円錐状に形成したことにある。図１０は、本発明の実施の形態３による加湿機を示す斜視図である。また、図１１は、図１０に示す加湿機の縦断面図であり、図１２は、加湿機を図１１中の矢示Ａ−Ａ方向からみた縦断面図である。なお、本実施の形態では、実施の形態１と同一の構成要素に同一の符号を付し、その説明を省略するものとする。
【００５５】
本実施の形態の加湿機は、図１０及び図１１に示す通り、実施の形態１とほぼ同様に、ケーシング１、給水タンク３、加熱用貯水部６、ヒータ７、送風ファン１０、高湿風ダクト６０、案内風ダクト３０等を備えている。しかし、高湿風ダクト６０は、例えば略円筒状または略円錐状をなす筒状体により形成されている。高湿風ダクト６０の軸線は、高湿風Ｒの吹き出し方向に延びている。なお、高湿風ダクト６０は、軸線方向に対して一定の幅寸法（直径寸法）を有する円筒状に形成してもよいし、図１１に示すように、略円錐状に形成してもよい。また、以下の説明では、高湿風ダクト６０の軸方向一側を上流側と表記し、軸方向他側を下流側と表記する。
【００５６】
高湿風ダクト６０の軸方向の途中部位には、高湿空気流入口６１が設けられている。高湿空気流入口６１は、高湿風ダクト６０の周面部の最下部に開口し、高湿空気通路８の上端部に接続されている。また、高湿風ダクト６０の軸方向一側には、搬送風流入口６２が開口している。搬送風流入口６２は、後述する搬送風流入通路６６の上端部に接続されている。また、搬送風流入口６２及び搬送風流入通路６６は、搬送風Ｑを高湿風ダクト６０の周面部の接線方向に流入させるように構成されている（図１２参照）。
【００５７】
高湿風ダクト６０の軸方向他側には、図１０及び図１１に示すように、円形状の高湿風吹出口６３が設けられている。高湿風吹出口６３は、ケーシング１の前面部において高湿風ダクト６０の軸線と垂直な平面上に開口し、メッシュカバー６４により覆われている。また、高湿風ダクト６０の下部側には、実施の形態１と同様に、２つの傾斜面部６０Ａ，６０Ｂが形成されている。一方の傾斜面部６０Ａは、搬送風流入口６２から高湿空気流入口６１に向けて斜め下向きに傾斜している。他方の傾斜面部６０Ｂは、高湿風吹出口６３から高湿空気流入口６１に向けて斜め下向きに傾斜している。
【００５８】
一方、高湿風ダクト６０及び案内風ダクト３０の上流部には、図１１に示すように、接続ダクト６５が接続されている。接続ダクト６５は、実施の形態１と同様に、搬送風流入通路６６と案内風流入通路６７とを一体化したものである。搬送風流入通路６６の一端側（下端部）は、高湿風ダクト６０よりも下側に配置された送風ファン１０の吹出口に接続されている。搬送風流入通路６６の他端側（上端部）は、搬送風流入口６２に接続されている。そして、本実施の形態において、搬送風流入通路６６は、下端部よりも上端部の方が高湿風ダクト６０に近くなるように垂直方向に対して斜めに傾斜している。
【００５９】
このように構成される本実施の形態でも、前記実施の形態１とほぼ同様の作用効果を得ることができる。また、本実施の形態において、搬送風流入通路６６から高湿風ダクト６０の上流側に流入した搬送風Ｑは、図１１に示すように、高湿風ダクト６０の軸線を中心として旋回しつつ、高湿風吹出口６３に向けて軸方向に流通する。そして、この搬送風Ｑは、高湿空気Ｐを巻き込んでこれと混ざり合いつつ、高湿風Ｒとなって高湿風吹出口６３から外部に吹き出す。
【００６０】
これにより、高湿空気Ｐと搬送風Ｑとを効率よく混合し、蒸気密度が均質な高湿風Ｒを安定的に生成することができる。また、高湿風ダクト６０のうち少なくとも高湿空気流入口６１よりも下流側の部位は、上流側から下流側に向けて徐々に狭くなる略円錐状に形成されている。これにより、高湿風Ｒの旋回力が弱まる下流側の位置で旋回半径を小さくし、旋回力を確保することができる。また、高湿風ダクト６０の外径を下流側で絞ることにより、高湿風吹出口６３での吹き出し風速を増大することができる。従って、高湿風Ｒの指向性を高め、加湿目標に向けて搬送される高湿風Ｒの推力を向上させることができる。
【００６１】
また、本実施の形態によれば、図１２に示すように、高湿風ダクト６０の横断面形状が円形となるので、実施の形態２の面取部５１を設けた場合と同様の効果を得ることができる。即ち、高湿風ダクト６０の上部側に付着した結露水を下部側へと円滑に流下させることができる。また、搬送風流入通路６６は、下端部よりも上端部の方が高湿風ダクト６０に近くなるように斜めに傾斜している。これにより、高湿風ダクト６０に流入する搬送風Ｑに対して、下流側に向かう軸方向の推力を付加することができる。従って、搬送風Ｑを旋回させながら下流側に向けて勢いよく流通させることができる。即ち、高湿風吹出口６３から吹き出す高湿風Ｒの気流をより強くすることができる。
【００６２】
実施の形態４．
次に、図１３から図１５を参照して、本発明の実施の形態４について説明する。本実施の形態の特徴は、高湿風ダクトを横向きの円筒状に形成したことにある。図１３は、本発明の実施の形態４による加湿機を示す斜視図である。図１４は、図１３に示す加湿機の縦断面図であり、図１５は、加湿機を図１４中の矢示Ａ−Ａ方向からみた縦断面図である。なお、図１４では、後述の高湿空気流入口７１、搬送風流入口７２及び高湿風吹出口７３が断面として表示されるように、変則的な断面図を採用している。また、本実施の形態では、実施の形態１と同一の構成要素に同一の符号を付し、その説明を省略するものとする。
【００６３】
本実施の形態の加湿機は、図１３及び図１４に示す通り、実施の形態１とほぼ同様に、ケーシング１、給水タンク３、加熱用貯水部６、ヒータ７、送風ファン１０、高湿風ダクト７０、案内風ダクト３０等を備えている。しかし、高湿風ダクト７０は、例えば加湿機の左右方向に延びた横向きの円筒状に形成されている。高湿風ダクト７０の軸線は、高湿風の吹き出し方向と垂直な面に沿って水平方向（加湿機の左右方向）に延びている。なお、以下の説明では、加湿機を前側からみた図１５において、高湿風ダクト７０の左側を軸方向一側及び上流側と表記し、右側を軸方向他側及び下流側と表記する。
【００６４】
高湿風ダクト７０の周面部のうち、左右方向の中間部よりも上流側の部分には、図１４及び図１５に示すように、高湿空気流入口７１が形成されている。高湿空気流入口７１は、高湿風ダクト７０の最下部に開口し、高湿空気通路８の上端部に接続されている。また、高湿風ダクト７０の周面部のうち高湿空気流入口７１よりも上流側の部分には、搬送風流入口７２が開口している。搬送風流入口７２は、後述する搬送風流入通路７６の上端部に接続されている。搬送風流入口７２及び搬送風流入通路７６は、図１４に示すように、搬送風Ｑを高湿風ダクト７０の周面部の接線方向に流入させるように構成されている。
【００６５】
一方、高湿風ダクト７０の周面部のうち、高湿空気流入口７１の開口位置よりも下流側の部分には、図１３及び図１４に示すように、高湿風吹出口７３が開口している。高湿風吹出口７３は、例えば水平方向に扁平な四角形の筒状体により形成され、高湿風ダクト７０の周面部から接線方向に突出している。高湿風ダクト７０の突出端部は、ケーシング１の前面部に開口し、メッシュカバー７４により覆われている。なお、高湿風ダクト７０の突出方向は、高湿風ダクト７０内を旋回する搬送風Ｑの旋回方向と整合するように設定されている。これにより、高湿風吹出口７３は、高湿風ダクト７０内を旋回した高湿風Ｒを、当該高湿風ダクト７０の周面部の接線方向に吹き出すように構成されている。
【００６６】
また、高湿風ダクト７０及び案内風ダクト３０の上流部には、図１４に示すように、接続ダクト７５が接続されている。接続ダクト７５は、実施の形態１と同様に、搬送風流入通路７６と案内風流入通路７７とを一体化したものである。搬送風流入通路７６は、下端側の送風ファン１０と上端側の案内風ダクト３０とを接続するもので、前記実施の形態３とほぼ同様に、下端部よりも上端部の方が高湿風ダクト７０に近くなるように垂直方向に対して斜めに傾斜している。
【００６７】
このように構成される本実施の形態でも、前記実施の形態１とほぼ同様の作用効果を得ることができる。また、本実施の形態において、搬送風流入通路７６から高湿風ダクト７０の左側に流入した搬送風Ｑは、図１４及び図１５に示すように、高湿風ダクト７０の軸線を中心として旋回しつつ、右側の高湿風吹出口７３に向けて流通する。そして、この搬送風Ｑは、高湿空気Ｐを巻き込んでこれと混ざり合いつつ、高湿風Ｒとなって高湿風吹出口７３から外部に吹き出す。
【００６８】
従って、前記実施の形態３と同様に、高湿空気Ｐと搬送風Ｑとを効率よく混合し、蒸気密度が均質な高湿風Ｒを安定的に生成することができる。また、高湿風Ｒを高湿風吹出口７３から高湿風ダクト７０の接線方向に吹き出すので、高湿風Ｒの旋回力を利用して当該高湿風Ｒの推力を向上させることができる。
【００６９】
なお、本発明では、前記実施の形態１から４において、案内風吹出口３１の位置で風向ガイド３２を上下方向に回転可能な構成としてもよい。これにより、水平方向に対する案内風Ｓの吹き出し角度を調整することができ、加熱目標の位置に応じて高湿風Ｒの搬送方向を適切に変更することができる。また、本発明では、例えば案内風ダクト３０の全体を上下方向に回転させて案内風Ｓの風向を調整する構成としてもよい。また、本発明は、平板状の風向ガイド３２に限定されるものではなく、例えば略コ字形状の風向ガイドにより案内風吹出口３１を上方及び側方から取囲む構成としてもよい。
【００７０】
また、本発明では、例えば高湿風ダクトの上面部にＲ形状（丸み）がある場合に、案内風吹出口の下面部にも同様のＲ形状をもたせて高湿風ダクトの上面部に沿わせる構成としてもよい。この構成によれば、案内風吹出口から吹き出す案内風が高湿風に沿うように当該高湿風とスムーズに合流するので、高湿風の風向を効率よく制御することができる。
【００７１】
また、前記実施の形態１から４では、ヒータ７により蒸気を発生させる構成を例示したが、本発明はこれに限らず、高湿空気生成部としては、例えばヒータと、超音波式の蒸気発生手段とを組合わせる構成としてもよい。また、実施の形態１から４では、加湿機を例示したが、本発明は、加湿以外の用途に用いる各種の流体搬送装置にも適用することができる。
【符号の説明】
【００７２】
１  ケーシング，２  蓋，３  給水タンク（流体貯蔵部），４  給水部，５  給水通路，６  加熱用貯水部（高湿空気生成部），７  ヒータ（高湿空気生成部、加熱部），８  高湿空気通路，１０  送風ファン（送風部），１１，６５，７５  接続ダクト，１２，６６，７６  搬送風流入通路，１３，６７，７７  案内風流入通路，２０，５０，６０，７０  高湿風ダクト，２０Ａ，３０Ａ，５０Ａ  上面部，２０Ｂ，３０Ｂ，５０Ｂ  下面部，２０Ｃ，３０Ｃ，５０Ｃ  側面部，２０Ｄ  奥壁部，２０Ｅ，２０Ｆ，６０Ａ，６０Ｂ  傾斜面部，２０Ｇ  平行側面部，２１，６１，７１  高湿空気流入口，２２，６２，７２  搬送風流入口，２３，６３，７３  高湿風吹出口，２４，６４，７４  メッシュカバー，２５  整流板，３０  案内風ダクト，３０Ｄ  狭幅側面部，３０Ｅ  拡開部，３１  案内風吹出口，３２  風向ガイド，４０  制御部，４１  操作部，５１  面取部，Ｐ  高湿空気，Ｑ  搬送風，Ｒ  高湿風，Ｓ  案内風
【図１】
0006030091.tif 000002
【図２】
0006030091.tif 000003
【図３】
0006030091.tif 000004
【図４】
0006030091.tif 000005
【図５】
0006030091.tif 000006
【図６】
0006030091.tif 000007
【図７】
0006030091.tif 000008
【図８】
0006030091.tif 000009
【図９】
0006030091.tif 000010
【図１０】
0006030091.tif 000011
【図１１】
0006030091.tif 000012
【図１２】
0006030091.tif 000013
【図１３】
0006030091.tif 000014
【図１４】
0006030091.tif 000015
【図１５】
0006030091.tif 000016